(57)【要約】【課題】見栄えを向上させると共にスペース効率を高めて薄型化及び小型化に貢献する表示装置を提供する。【解決手段】見返し１１２は表示面から視点方向に向かって徐々に開口面を広げるように形成された内壁面１２ａ、１２ｂを有するので、従来のような見返しの内壁面のコーナーライン１１２ｂを消失させるのに役立つ。また、内壁面１２ａ、１２ｂの背面に新たな空間を発生させることができるので、この部分を関連部品の収容スペースとしても利用可能となる。【選択図】　　　図３
2004077421.tif 000002
【特許請求の範囲】
【請求項１】
所定の表示面に覆設される見返しを備えた表示装置において、
前記見返しは、前記表示面から視点方向に向かって徐々に開口面を広げるように形成された内壁面を有する、
ことを特徴とする表示装置。
【請求項２】
請求項１記載の表示装置において、
前記内壁面は、テーパ形状で形成される、
ことを特徴とする表示装置。
【請求項３】
請求項１記載の表示装置において、
前記内壁面は、曲面形状で形成される、
ことを特徴とする表示装置。
【請求項４】
請求項１〜３のいずれか一項に記載の表示装置において、
前記表示面には、車両用計器に含まれるアナログ指示用の文字板が配置される、
ことを特徴とする表示装置。
【請求項５】
請求項１〜３のいずれか一項に記載の表示装置において、
前記表示面には、車両用計器に含まれる蛍光表示管の情報表示面が配置される、
ことを特徴とする表示装置。
【請求項６】
請求項１〜５のいずれか一項に記載の表示装置において、
前記内壁面の背面に発生した空間には、車両用計器を構成する一部の部品が配置される、
ことを特徴とする表示装置。
【発明の詳細な説明】
【０００１】
【発明の属する技術分野】
本発明は、車両用計器等の表示装置に関し、特に、見栄えを向上させると共にスペース効率を向上させた表示装置に関する。
【０００２】
【従来の技術】
車両用計器等においては、通常、アナログ指示系の文字板やディジタル指示系の液晶表示装置に覆設される見返しが用いられている。この見返しは、文字板や液晶表示装置の情報表示領域以外を覆って、ドライバ等の視点からの見栄えをよくする機能を有するが、近年、高級指向や消費者ニーズの多様化にともなってさらなる見栄えの向上が求められている。以下に図４〜図６を用いて、従来の表示装置及びその問題点について説明する。
【０００３】
図４は、従来の表示装置がインストルメントパネルに装着された状態を示す図である。図５及び図６は共に、従来の表示装置の問題点を説明するための図である。図４に示すように、表示装置１００は、例えば、車両用計器であり、周知のようにインストルメントパネルＩ上において、ステアリングホイールＳを操作するドライバから視認性のよい箇所に取り付けられる。表示装置１００は、本体ケース１１、見返し１１２、表硝子１３、文字板１４、指針１７等を含んで構成される。
【０００４】
文字板１４上には、スピードメータやタコメータ等に対応する種々の意匠が形成されており、これら意匠は文字板１４の背面側に配置された図示しないムーブメントに回動される指針１７にて指示される。文字板１４前面に覆設される見返し１１２は黒色系であり、上記意匠や指針１７の回動範囲に対応した窓部１１２Ｗを有する。また、見返し１１２は、文字板１４に形成されたワーニングや方向指示等を示す意匠１４ａに対応する窓部も有する。そして、このような見返し１１２の前面に、スモーク系の表硝子１３が覆設されている。
【０００５】
表示装置１００は、図５の概略断面図に示すように、表示面（図中、縦方向の面）と、これと垂直方向に前方に延びるフード状の内壁面（図中、横方向の面）とを含む見返し１１２を有する。見返し１１２の背面には、スピードメータ等の意匠が形成された文字板１４が配置されている。更に、この文字板１４の背面には、指針１７を回動させるムーブメント１６ａが、回路基板１５に実装されて配置されている。回路基板１５には、ムーブメント１６ａの他に、マイコン、コンデンサ、抵抗等種々の関連部品１６ｂ〜１６ｄも実装されている。また、この回路基板１５を支持しつつ、関連部品１６ｂ〜１６ｄ等を収容する本体ケース１１が、この表示装置１００の裏側全体を構成している。実際には、文字板１４の背面には導光板が重積され、指針や文字板用の光源も配置されるが、これらは省略している。
【０００６】
また、表示装置１００に替えて、図６の概略断面図に示すように、ディジタル指示系の表示装置２００が用いられる場合もある。この表示装置２００では、情報表示装置として周知のＶＦＤ（蛍光表示管）２６ａが用いられる。この表示装置２００の場合にも、表示面（図中、縦方向の面）と、これと垂直方向に前方に延びるフード状の内壁面（図中、横方向の面）とを含む見返し２２２を有する。この見返し２２２の背面には、スピードやエンジン回転数等をディジタル的に表示可能なＶＦＤ２６ａが、回路基板２５に実装されて配置されている。回路基板２５には、ＶＦＤ２６ａの他に、マイコン、コンデンサ、抵抗、放熱部材等種々の関連部品２６ｂ〜２６ｃも実装されている。この回路基板２５を支持しつつ、関連部品２６ｂ〜２６ｃ等を収容する本体ケース２２１が、この表示装置２００の裏側全体を構成している。なお、２２２Ｗは見返し２２２に形成された窓部を示す。
【０００７】
【発明が解決しようとする課題】
しかしながら、従来の表示装置１００においては、図５に示すように、ドライバ等の視点ＥＰからは、コーナーライン１１２ｂ、１１２ｃが見えてしまう可能性がある。コーナーライン１１２ｂは、図４にも示すように、ドライバ等に違和感を与えてしまい見栄えを悪くする。
【０００８】
また、従来の表示装置２００においても、図６に示すように、ドライバ等の視点ＥＰからは、同様にコーナーライン２２２ｂ、２２２ｃが見えてしまう可能性がある。更に、表示装置２００の場合には、情報表示装置としてＶＦＤ２６ａが用いられるため、ムーブメント、導光板、光源等が不要となり、薄型化されたものとなる。ところが、部品２６ａで示すようにＶＦＤの厚さよりも、より厚い（又は高い）部品が存在した場合、この部品２６ａのために回路基板２５と見返し２２２との間隔を広げると装置全体が大型化することになるので、部品２６ａだけを基板２５の背面に配置することがある。これにともない、本体ケース２２１は、部品２６ａを収容するために、背面に出っ張らざるを得なくなり、筐体構造の複雑化等の問題を招く。
【０００９】
よって本発明は、上述した現状に鑑み、見栄えを向上させると共にスペース効率を高めて薄型化及び小型化に貢献する表示装置を提供することを課題としている。
【００１０】
【課題を解決するための手段】
上記課題を解決するためになされた請求項１記載の表示装置は、所定の表示面に覆設される見返しを備えた表示装置において、前記見返しは、前記表示面から視点方向に向かって徐々に開口面を広げるように形成された内壁面１２ａ、１２ｂ、２２ａ、２２ｂを有する、ことを特徴とする。
【００１１】
請求項１記載の発明によれば、見返しは表示面から視点方向に向かって徐々に開口面を広げるように形成された内壁面を有するので、従来のような見返しの内壁面のコーナーライン１１２ｂを消失させるのに役立つ。また、内壁面の背面に新たな空間を発生させることができるので、この部分を関連部品の収容スペースとしても利用可能となる。
【００１２】
上記課題を解決するためになされた請求項２記載の表示装置は、請求項１記載の表示装置において、前記内壁面２２ａ、２２ｂは、テーパ形状で形成される、ことを特徴とする。
【００１３】
請求項２記載の発明によれば、見返しの内壁面はテーパ形状で形成されているので、簡素な構成でありながらも見栄えを向上させることができる。また、テーパ形状であるので背面側のスペース効率もより高くなる。
【００１４】
上記課題を解決するためになされた請求項３記載の表示装置は、請求項１記載の表示装置において、前記内壁面１２ａ、１２ｂは、曲面形状で形成される、ことを特徴とする。
【００１５】
請求項３記載の発明によれば、見返しの内壁面は曲面形状で形成されているので、内壁面がよりなめらかになり更に見栄えを向上させることができる。
【００１６】
上記課題を解決するためになされた請求項４記載の表示装置は、請求項１〜３のいずれか一項に記載の表示装置において、前記表示面には、車両用計器に含まれるアナログ指示用の文字板１４が配置される、ことを特徴とする。
【００１７】
請求項４記載の発明によれば、表示面にはアナログ指示用の文字板が配置されるので、より見栄えを向上させたアナログ指示系の車両用計器を提供することができる。
【００１８】
上記課題を解決するためになされた請求項５記載の表示装置は、請求項１〜３のいずれか一項に記載の表示装置において、前記表示面には、車両用計器に含まれる蛍光表示管２６ａの情報表示面が配置される、ことを特徴とする。
【００１９】
請求項５記載の発明によれば、表示面には蛍光表示管の情報表示面が配置されるので、より見栄えを向上させたディジタル指示系の車両用計器を提供することができる。
【００２０】
上記課題を解決するためになされた請求項６記載の表示装置は、請求項１〜５のいずれか一項に記載の表示装置において、前記内壁面２２ｃ、２２ｄの背面に発生した空間には、車両用計器を構成する部品２６ｃ、２６ｄの一部が配置される、ことを特徴とする。
【００２１】
請求項６記載の発明によれば、内壁面の背面に発生した空間には、車両用計器を構成する一部の部品が配置されるので、上記のように見栄えを向上させつつ、薄型化及び小型化も促進した表示装置を提供できる。特に、より薄型化の傾向の強いディジタル指示系の表示装置に対するスペース効率向上に貢献できる。
【００２２】
【発明の実施の形態】
以下、本発明の実施の形態を図面に基づいて説明する。
図１は、本発明の表示装置がインストルメントパネルに装着された状態を示す図である。図２（Ａ）及び図２（Ｂ）は共に、本発明の表示装置の第１実施形態に係る概略断面図である。なお、図２（Ａ）及び図２（Ｂ）は、図１の表示装置１の略中央部における断面形状を示す。
【００２３】
図１に示すように、表示装置１は、例えば、車両用計器であり、インストルメントパネルＩ上において、ステアリングホイールＳを操作するドライバから視認性のよい箇所に取り付けられる。この表示装置１は、本体ケース１１、見返し１１２、表硝子１３、文字板１４、指針１７等を含んで構成される。なお、ここに示すように、表示装置１は、必ずしも、ステアリングホイールＳの正面に配置する必要はなく、やや助手席よりであってもよい。また、ここに示すようなアナログ指示系の表示装置の替わりにディジタル指示系の表示装置であってもよい。
【００２４】
ポリカーボネイト製の文字板１４上には、スピードメータやタコメータ等に対応する種々の意匠が中抜き印刷等により形成されており、これら意匠は文字板１４の背面側に配置された図示しないムーブメントに回動される指針１７にて指示される。文字板１４前面に覆設される見返し１１２は黒色系の樹脂製であり、上記意匠や指針１７の回動範囲に対応した窓部１２Ｗを有する。また、見返し１１２は、文字板１４に形成されたワーニングや方向指示等を示す意匠１４ａに対応する窓部も有する。この見返し１１２は、表示面から視点方向に向かって徐々に開口面を広げるように形成された内壁面を有するので、従来のような見返し１１２の内壁のコーナーラインが消失して見栄えが向上する。そして、このような見返し１１２の前面に、スモーク系樹脂製の表硝子１３が覆設されている。
【００２５】
図２（Ａ）に示すように、この見返し１１２の下部の内壁面１２ａは曲面形状で形成されている。図示しないが、正面からみると、内壁面１２ａは見返し１１２の下部全体にわたって形成されている。見返し１１２の開口面には、この開口面を覆うように表硝子１３が覆設されている。見返し１１２は、スピードメータ等意匠や指針１７の回動範囲に対応した窓部１２Ｗが形成されている。
【００２６】
一方、見返し１１２の背面には、スピードメータ等の意匠が形成された文字板１４が配置されている。更に、文字板１４の背面には、指針１７を回動させるムーブメント１６ａが、回路基板１５に実装されて配置されている。ムーブメント１６ａの回転軸は、文字板１４に穿設された貫通孔を通り、指針に挿通されている。回路基板１５には、ムーブメント１６ａの他に、マイコン、コンデンサ、抵抗等種々の関連部品１６ｂ〜１６ｄも実装されている。
【００２７】
この回路基板１５を支持しつつ、関連部品１６ｂ〜１６ｄ等を収容する本体ケース１１が、この表示装置１の裏側全体を構成している。なお、実際には、文字板１４の背面には導光板が重積され、更に指針や文字板用の光源も配置されるが、これらは省略している。
【００２８】
このような構成において、ドライバ等の視点ＥＰからは、上記内壁面１２ａはコーナーラインのない連続的な面として視認される。なお、この例では、見返し１１２の内壁面の上部にコーナーラインは存在するが、表示装置１の取付位置や取付角度により、この部分はドライバ等の視点ＥＰからは通常視認されない。すなわち、視認される確率の高い部位のみを曲面状の内壁面１２ａとすることにより、従来の見返しの小変更のみで見栄えを向上させている。
【００２９】
表示装置の取付位置や取付角度によっては、見返し１１２の内壁面の上部もドライバ等の視点から視認される確率が高い場合がある。この場合には、図２（Ｂ）の表示装置１′に示すように、見返し１１２′の内壁面の上部にも、内壁面１２ａと同様の、曲面形状の内壁面１２ｂを設ける。これにより、見返し１１２′の内壁面の上部及び下部からコーナーラインが消失し、見栄えをより向上させる。なお、必要に応じて、曲面形状の内壁面は、見返しの内壁面の上部のみとしてもよいし、曲面形状に替えて、直線的な内壁面、すなわち、テーパ形状の内壁面としてもよい。
【００３０】
次に、図３を用いて、本発明の表示装置の第２実施形態について説明する。図３（Ａ）、図３（Ｂ）及び図３（Ｃ）は共に、本発明の表示装置の第２実施形態に係る概略断面図である。なお、図３（Ａ）、図３（Ｂ）及び図３（Ｃ）は、図２に準じ、表示装置の略中央部における断面形状を示す。なお、この第２実施形態においては、ＶＦＤを主体とするディジタル指示系の表示装置を例示する。この第２実施形態における各構成部材の材質等は、第１実施形態と同等であるものとする。
【００３１】
この第２実施形態の表示装置も、図１の表示装置１と同様、インストルメントパネルＩ上において、ステアリングホイールＳを操作するドライバから視認性のよい箇所、例えば、ステアリングホイールＳの正面、或いは、やや助手席寄りに取り付けられる。
【００３２】
図３（Ａ）に示すように、見返し２２の上部の内壁面２２ａはテーパ形状で形成されている。図示しないが、正面からみると、内壁面２２ａは見返し２２の上部全体にわたって形成されている。見返し２２の開口面には、この開口面を覆うように表硝子２３が覆設されている。また、見返し２２には、ＶＦＤ２６ａの情報表示面に対応した窓部２２Ｗが形成されている。この窓部２２Ｗの形状は、例えば、長方形状である。
【００３３】
一方、見返し２２の背面には、スピードやエンジン回転数等をディジタル的に表示可能なＶＦＤ２６ａが、回路基板２５に実装されて配置されている。回路基板２５には、ＶＦＤ２６ａの他に、マイコン、コンデンサ、抵抗、放熱部材等種々の関連部品２６ｂ、２６ｃも実装されている。この回路基板２５を支持しつつ、関連部品２６ｂ、２６ｃ等を収容する本体ケース２１が、この表示装置２の裏側全体を構成している。
【００３４】
このような構成において、ドライバ等の視点ＥＰからは、上記内壁面２２ａはコーナーラインがほとんどない連続的な面として視認される。見返し２２の内壁面の下部にコーナーラインは存在するが、表示装置２の取付位置や取付角度により、この部分はドライバ等の視点ＥＰからは通常視認されない。すなわち、視認される確率の高い部位のみをテーパ形状の内壁面２２ａとすることにより、従来の見返しの小変更のみで見栄えを向上させる。
【００３５】
更に、この第２実施形態では、内壁面２２ａによるスペース効率向上の効果も大きい。すなわち、近年普及しつつあるＶＦＤ等のディジタル指示系の表示装置においては、ムーブメント、導光板、光源等が不要となり、より薄型化の傾向が強い。しかしながら、このような表示装置においても、例えば、部品２６ａで示すようにＶＦＤの厚さよりも、より厚い（又は高い）部品が存在することがある。このような部品２６ａを、内壁面２２ａにより新たに発生したスペースを利用して収容することも可能になるので、ＶＦＤ等のディジタル指示系の表示装置に対するスペース効率向上に大きく貢献できる。
【００３６】
表示装置の取付位置や取付角度によっては、見返し２２の内壁面の下部もドライバ等の視点から視認される確率が高い場合がある。この場合には、図３（Ｂ）の表示装置２′に示すように、見返し２２′の内壁面の下部にも、内壁面２２ａと同様の、テーパ形状の内壁面２２ｂを設ける。これにより、見返し２２′の内壁面の上部及び下部からコーナーラインが消失し、見栄えをより向上させる。２２Ｗ′は、窓部２２Ｗと同等の窓部を示す。
【００３７】
更に、図３（Ｃ）の表示装置２″の見返し２２″に示すように、上部及び下部を、曲面形状の内壁面２２ｃ、２２ｄとしてもよい。これにより、見返し２２″の内壁面がよりなめらかになりより見栄えが向上する。また、図３（Ｂ）及び図３（Ｃ）の見返しにおいては、見返しの上部背面のみならず下部背面にも新たなスペースが出現するため、このスペースを他の部品２６ｄ等の配置スペースとして利用することも可能となり、更にスペース効率が向上する。２２Ｗ″は、窓部２２Ｗと同等の窓部を示す。
【００３８】
なお、図３（Ｂ）及び図３（Ｃ）で示したテーパ形状及び曲面形状の内壁面は、見返しの内壁面の下部のみとしてもよい。また、テーパ形状、或いは、曲面形状の内壁面をひとつの見返しにおいて混在させて形成してもよい。
【００３９】
このように、本発明の実施形態によると、見栄えを向上させると共にスペース効率を高めて薄型化及び小型化に貢献する表示装置を提供することができる。
【００４０】
なお、本発明は、車両用計器のみならず、見返しを有する表示装置であれば、時計や電装機器等にも適用可能である。本発明は、その主旨を逸脱しない範囲で種々の変形が可能である。
【００４１】
【発明の効果】
以上説明したように、請求項１記載の発明によれば、見返しは表示面から視点方向に向かって徐々に開口面を広げるように形成された内壁面を有するので、従来のような見返しの内壁面のコーナーライン１１２ｂを消失させるのに役立つ。したがって、見栄を向上させることができる。また、内壁面の背面に新たな空間を発生させることができるので、この部分を関連部品の収容スペースとしても利用可能となる。
【００４２】
請求項２記載の発明によれば、見返しの内壁面はテーパ形状で形成されているので、簡素な構成でありながらも見栄えを向上させることができる。また、テーパ形状であるので背面側のスペース効率もより高くなる。
【００４３】
請求項３記載の発明によれば、見返しの内壁面は曲面形状で形成されているので、内壁面がよりなめらかになり更に見栄えを向上させることができる。
【００４４】
請求項４記載の発明によれば、表示面にはアナログ指示用の文字板が配置されるので、より見栄えを向上させたアナログ指示系の車両用計器を提供することができる。
【００４５】
請求項５記載の発明によれば、表示面には蛍光表示管の情報表示面が配置されるので、より見栄えが向上させたディジタル指示系の車両用計器を提供することができる。
【００４６】
請求項６記載の発明によれば、内壁面の背面に発生した空間には、車両用計器を構成する部品の一部が配置されるので、上記のように見栄えを向上させつつ、薄型化及び小型化も促進した表示装置を提供できる。特に、より薄型化の傾向の強いディジタル指示系の表示装置に対するスペース効率向上に大きく貢献できる。
【図面の簡単な説明】
【図１】本発明の表示装置がインストルメントパネルに装着された状態を示す図である。
【図２】図２（Ａ）及び図２（Ｂ）は共に、本発明の表示装置の第１実施形態に係る概略断面図である。
【図３】図３（Ａ）、図３（Ｂ）及び図３（Ｃ）は共に、本発明の表示装置の第２実施形態に係る概略断面図である。
【図４】従来の表示装置がインストルメントパネルに装着された状態を示す図である。
【図５】従来の表示装置の問題点を説明するための図である。
【図６】他の従来の表示装置の問題点を説明するための図である。
【符号の説明】
１　表示装置
１１　本体ケース
１２、１２′、２２、２２′、２２″　見返し
１２ａ、１２ｂ、２２ａ〜２２ｄ　内壁面
１３　表硝子
１４　文字板
１６ａ〜１６ｃ、２６ｂ〜２６ｄ　部品
１７　指針
２６ａ　ＶＦＤ
【図１】
2004077421.tif 000003
【図２】
2004077421.tif 000004
【図３】
2004077421.tif 000005
【図４】
2004077421.tif 000006
【図５】
2004077421.tif 000007
【図６】
2004077421.tif 000008